(57)【特許請求の範囲】
【請求項１】
円筒状に形成した操作ノブと、
前記操作ノブと一体的に回動し、当該操作ノブの駆動力を伝達する筒状の太陽ギアと、
前記太陽ギアに噛合させた遊星ギアと、
前記遊星ギアに連結して外部装置を動作させるケーブルとを備えたダイヤル式コントロール操作装置において、
外周に前記太陽ギアの筒部を嵌合させ、当該太陽ギアを回転可能に軸支するホルダーと、
前記ホルダーの一方側に設け、前記操作ノブの指示部を合わせて当該操作ノブの回動操作位置を表す標示板と、
前記太陽ギアの周囲に沿って弧状に形成し、前記遊星ギアを前記太陽ギアと協同して移動方向に導く内接ギアを設けると共に前記ケーブルのケーブル保持部を設けたベースとを備え、
さらに、前記太陽ギアの回転軸線を中心とする円周上の位置を変えて前記ホルダーの他方側に前記ベースを取り付け可能とした取付設定部と、
前記ホルダーに対する前記標示板の取り付け角度を設定可能とした標示板設定部とを備えたことを特徴とするダイヤル式コントロール操作装置。
【請求項２】
請求項１に記載したダイヤル式コントロール操作装置において、
前記標示板設定部は、前記ホルダーの周囲部又は前記標示板の周囲部のいずれか一方に所定の間隔を設けて形成した複数の凹溝と、それらの他方に設けて前記複数の凹溝の１つを選択して嵌合させて前記標示板の取り付け角度を設定する凸部とで形成したことを特徴とするダイヤル式コントロール操作装置。
【請求項３】
請求項１に記載したダイヤル式コントロール操作装置において、
前記標示板設定部の設定に合わせて前記操作ノブと前記太陽ギアの連結位置を変えて前記操作ノブに取り付けるノブ設定部を設けたことを特徴とするダイヤル式コントロール操作装置。
【請求項４】
請求項３に記載したダイヤル式コントロール操作装置において、
前記ノブ設定部は、前記操作ノブ又は前記太陽ギアのいずれか一方に所定の間隔を設けて形成した複数の凹溝と、それらの他方に設けて前記複数の凹溝の１つを選択して嵌合させて前記太陽ギアの取り付け角度を設定する凸部とから構成したことを特徴とするダイヤル式コントロール操作装置。
【請求項５】
請求項１に記載したダイヤル式コントロール操作装置において、
前記ベースは、前記内接ギア及び前記ケーブル保持部を設けた第１ベースと、前記ホルダーに取り付ける第２ベースとで形成し、
前記第１ベース及び前記第２ベースには、前記第２ベースを前記第１ベースに対し、前記太陽ギアの回転軸線を中心とする円周上の複数の位置で装着可能とした装着設定部を設けたことを特徴とするダイヤル式コントロール操作装置。
【請求項６】
請求項５に記載したダイヤル式コントロール操作装置において、
前記第２ベースは、前記ホルダーに対し、前記太陽ギアの回転軸線を中心とする円周上の複数の位置で取り付け可能とした前記取付設定部を設けたことを特徴するダイヤル式コントロール操作装置。
【請求項７】
円筒状に形成した操作ノブと、
前記操作ノブと一体的に回動し、当該操作ノブの駆動力を伝達する筒状の太陽ギアと、
前記太陽ギアに連結させた遊星ギアと、
前記遊星ギアに連結して外部装置を動作させるケーブルと、
外周に前記太陽ギアの筒部を嵌合させ、当該太陽ギアを回転可能に軸支するホルダーと、
前記ホルダーの一方側に設け、前記操作ノブの指示部を合わせて当該操作ノブの回動操作位置を表す標示板と、
前記太陽ギアの周囲に沿って弧状に形成し、前記遊星ギアを前記太陽ギアと協同して移動方向に導く内接ギア及び前記ケーブルのケーブル保持部を設けた第１ベースと、
前記第１ベースに装着可能とした第２ベースと、を備え、
前記ホルダーに対する前記標示板の取り付け角度を設定するダイヤル式コントロール操作装置において、
前記標示板は前記ホルダーに対して、前記太陽ギアは前記操作ノブに対して、前記第２ベースは前記第１ベースに対して、前記第２ベースは前記ホルダーに対して各々前記太陽ギアの回転軸線を中心とする複数の取り付け角度で取り付け可能としたことを特徴とするダイヤル式コントロール操作装置。
【発明の詳細な説明】
【技術分野】
【０００１】
この発明は，操作ノブの回動操作にしたがう駆動力をケーブルを介して外部装置に伝達し、外部装置を動作制御するダイヤル式コントロール操作装置に関する。
【背景技術】
【０００２】
ダイヤル式コントロール操作装置としては様々なものがあるが、一例として自動車に装備される空調用のコントロール操作装置について述べる。
図８は空調用のコントロール操作装置の正面図、図９は同コントロール操作装置の断面図、図１０は同コントロール操作装置の要部を示す簡略的な部分図である。
【０００３】
図示する如く、このコントロール操作装置は、円筒状に形成した操作ノブ１１が温度調節用のダイヤルノブ、操作ノブ１１の円筒状内に配設した摘み凸部の操作ノブ１２が風量調節用のダイヤルノブとなっている。
すなわち、操作ノブ１１を回動操作し、その指標１１ａを表示部１３のシンボル１３ａに選択的に合わせ温度調節する。
また、凸部を指先で摘んで操作ノブ１２を回動操作し、その指標１２ａを表示部１４のシンボル１４ａに選択的に合わせて風量調節する。
【０００４】
円筒形に形成した操作ノブ１１は、後部外周を歯車形成し、その歯車が遊星ギア１５を連動する太陽ギア１１ｂとなっている。
この操作ノブ１１は、ケース１６内に突出形成したケース円筒部１６ａの外周に回動可能に嵌装してあり、また、操作ノブ１１には、その指標１１ａがシンボル１３ａのそれぞれの位置で節度をもって回動できるようにクリックストップ機構（図示省略）が設けられている。
【０００５】
一方、上記したケース円筒部１６ａの前方部には、固定円筒体１７が固定してある。
この固定円筒体１７の前端内には、放射状に設けた複数の橋絡板１８を設け、橋絡板１８によって円筒体１９を支持する構成とし、さらに、操作ノブ１２を上記の円筒体１９に回動可能に挿入してある。
そして、操作ノブ１２のノブ軸１２ｂには風量調節スイッチ２０の動作軸２０ａが嵌着されている。
また、上記した固定円筒体１７と円筒体１９との間となる橋絡板１８の前側には、表示部１３、１４を形成する表示板２１が固着してある。
なお、風量調節スイッチ２０は後ケース２２に配設されている。
【０００６】
他方、後ケース２２には遊星ギア１５のギア軸１５ａを通すための弧形の案内軸孔２３が形成してあり、この案内軸孔２３と後ケース２２の上部に配設した弧状の内接ギア２４とで遊星ギア１５の旋動方向を案内するようにしてある。
そして、後ケース２２より突出したギア軸１５ａにはケーブル２５のインナーケーブル２５ａが連結してある。
【０００７】
ケーブル２５は、摺動自在としたインナーケーブル２５ａを有するアウターケーブル２５ｂから構成してあり、図１０に示す通り、アウターケーブル２５ｂの一端部を後ケース２２に設けた保持部２６に固着し、インナーケーブル２５ａの一端部を上記した遊星ギア１５のギア軸１５ａに取り付けてある。
【０００８】
上記したコントロール操作装置は、操作ノブ１１の回動操作にしたがって太陽ギア１１ｂが一体的に回動し、したがって、遊星ギア１５が連動されて旋動し、図１０に示すように、遊星ギア１５が１５Ａ、１５Ｂで示す範囲で旋回する。
このことから、インナーケーブル２５ａが遊星ギア１５の移動にしたがって直線運動し、操作ノブ１１の回動操作に応じて押し出され、また、引き戻されることから、外部装置としての空調ユニットが動作制御され、温度調節が行われる。
【先行技術文献】
【特許文献】
【０００９】
【特許文献１】特許第４９０４５４６号公報
【発明の概要】
【発明が解決しようとする課題】
【００１０】
上記した空調用のコントロール操作装置は、操作ノブ１１の回動操作をケーブル２５の直線運動に変換することができる。
この結果、インナーケーブル２５ａがアウターケーブル２５ｂ内をスムーズに移動するケーブル２５となるから、ケーブルの曲げを少なくして配索することができ、動作制御が軽快なコントロール操作装置となる。
【００１１】
しかしながら、空調ユニットのレイアウトが車種毎に変更されることがあるため、ケーブルを大きく曲げて空調ユニットに連結しなければならない場合があり、このような場合にはアウターケーブル２５ｂに対するインナーケーブル２５ａの摺動抵抗が増大するため、操作ノブ１１の回動操作が重くなりフィーリングが悪くなる。
【００１２】
このような問題は、空調ユニットのレイアウトが変わった車種毎に空調ユニットの配置に合わせて配索可能なコントロール操作装置を製作すれば解決できるが、コスト高となり、また、実用性の低いコントロール操作装置となる。
【００１３】
そこで、本発明では、上記した実情にかんがみ、空調ユニットのレイアウトが変わった場合でもケーブルの曲げを可能なる限り少なくして配索可能なコントロール操作装置等に適するダイヤル式コントロール操作装置を提案することを目的とする。
【課題を解決するための手段】
【００１４】
本発明は上記した目的を達成するため、本発明では第１の発明として、円筒状に形成した操作ノブと、前記操作ノブと一体的に回動し、当該操作ノブの駆動力を伝達する筒状の太陽ギアと、前記太陽ギアに噛合させた遊星ギアと、前記遊星ギアに連結して外部装置を動作させるケーブルとを備えたダイヤル式コントロール操作装置において、外周に前記太陽ギアの筒部を嵌合させ、当該太陽ギアを回転可能に軸支するホルダーと、前記ホルダーの一方側に設け、前記操作ノブの指示部を合わせて当該操作ノブの回動操作位置を表す標示板と、前記太陽ギアの周囲に沿って弧状に形成し、前記遊星ギアを前記太陽ギアと協同して移動方向に導く内接ギアを設けると共に前記ケーブルのケーブル保持部を設けたベースとを備え、さらに、前記太陽ギアの回転軸線を中心とする円周上の位置を変えて前記ホルダーの他方側に前記ベースを取り付け可能とした取付設定部と、前記ホルダーに対する前記標示板の取り付け角度を設定可能とした標示板設定部とを備えたことを特徴とするダイヤル式コントロール操作装置を提案する。
【００１５】
第２の発明としては、上記した第１の発明のダイヤル式コントロール操作装置において、前記標示板設定部は、前記ホルダーの周囲部又は前記標示板の周囲部のいずれか一方に所定の間隔を設けて形成した複数の凹溝と、それらの他方に設けて前記複数の凹溝の１つを選択して嵌合させて標示板の取り付け角度を設定する凸部とで形成したことを特徴とするダイヤル式コントロール操作装置を提案する。
【００１６】
第３の発明としては、上記した第１の発明のダイヤル式コントロール操作装置において、前記標示板設定部の設定に合わせて前記操作ノブと前記太陽ギアの連結位置を変え、当該太陽ギアを前記操作ノブに取り付けるノブ設定部を設けたことを特徴とするダイヤル式コントロール操作装置を提案する。
【００１７】
第４の発明としては、上記した第３の発明のダイヤル式コントロール操作装置において、前記ノブ設定部は、前記操作ノブ又は前記太陽ギアのいずれか一方に所定の間隔を設けて形成した複数の凹溝と、それらの他方に設けて前記複数の凹溝の１つを選択して嵌合させ、前記太陽ギアの取り付け角度を設定する凸部とから構成したことを特徴とするダイヤル式コントロール操作装置を提案する。
【００１８】
第５の発明としては、上記した第１の発明のダイヤル式コントロール操作装置において、前記ベースは、内接ギア及びケーブル保持部を設けた第１ベースと、前記ホルダーに取り付ける第２ベースとで形成し、それら第１、第２ベースには、第２ベースを第１ベースに対し、前記太陽ギアの回転軸線を中心とする円周上の複数の位置で装着可能とした装着設定部を設けたことを特徴とするダイヤル式コントロール操作装置を提案する。
【００１９】
第６の発明としては、上記した第５の発明のダイヤル式コントロール操作装置において、前記第２ベースは、前記ホルダーに対し、前記太陽ギアの回転軸線を中心とする円周上の複数の位置で取り付け可能とした上記した取付設定部を設けたことを特徴するダイヤル式コントロール操作装置を提案する。
【００２０】
第７の発明としては、円筒状に形成した操作ノブと、前記操作ノブと一体的に回動し、当該操作ノブの駆動力を伝達する筒状の太陽ギアと、前記太陽ギアに連結させた遊星ギアと、前記遊星ギアに連結して外部装置を動作させるケーブルと、外周に前記太陽ギアの筒部を嵌合させ、当該太陽ギアを回転可能に軸支するホルダーと、前記ホルダーの一方側に設け、前記操作ノブの指示部を合わせて当該操作ノブの回動操作位置を表す標示板と、前記太陽ギアの周囲に沿って弧状に形成し、前記遊星ギアを前記太陽ギアと協同して移動方向に導く内接ギア及び前記ケーブル保持部を設けた第１ベースと、第１ベースに装着可能とし、前記ホルダーの他方側に取り付け可能とした第２ベースと、前記ホルダーに対する前記標示板の取り付け角度を設定可能とするダイヤル式コントロール操作装置において、前記標示板はホルダーに対して、前記太陽ギアは操作ノブに対して、前記第２ベースは第１ベースに対して、前記ホルダーは第２ベースに対して各々前記太陽ギアの回転軸線を中心とする複数の取り付け角度で取り付け可能としたことを特徴とするダイヤル式コントロール操作装置を提案する。
【発明の効果】
【００２１】
第１の発明のコントロール操作装置は、ベースをホルダーに対し、太陽ギアの回転軸線を中心とする円周上の位置を変えて取り付け可能とした取付設定部を設けたので、コントロール操作装置と動作制御する外部装置とのレイアウトが変更された場合であっても、ベースの取り付け角度を適度に変えることで、可能なるかぎりケーブルの曲げを少なくして外部装置に連結することができる。
この結果、コントロール操作装置と動作制御する外部装置のレイアウトの変更に係わらず、ケーブルの摺動抵抗を少なくして操作ノブの軽快操作なコントロール操作装置となる。
【００２２】
また、このコントロール操作装置は、ホルダーに対する標示板の取り付け角度を設定可能とした標示板設定部を備えているので、この標示板設定部と上記した取付設定部とによってベースの取り付け角度を細かく設定がすることができる。
【００２３】
第２の発明のコントロール操作装置は、上記した標示板設定部について、ホルダーの周囲部又は標示板の周囲部のいずれか一方に所定の間隔を設けて形成した複数の凹溝と、それらの他方に設けて上記した複数の凹溝の１つを選択して嵌合させて標示板の取り付け角度を設定する凸部とで形成したので、この標示板設定部が太陽ギアの回転軸線を中心としてコンパクトに構成されている。
【００２４】
第３の発明のコントロール操作装置は、標示板の取り付け角度に合わせて前記操作ノブと太陽ギアの連結位置を変え、太陽ギアを前記操作ノブに取り付けるノブ設定部を備えている。
すなわち、標示板の取り付け角度を変えた場合でも、太陽ギアに噛合した遊星ギアが、操作ノブの指示部の指示にしたがって正しく距離移動し、ケーブルを移動制御する構成としてある。
【００２５】
第４の発明のコントロール操作装置は、操作ノブ又は太陽ギアのいずれか一方に所定の間隔を設けて形成した複数の凹溝と、それらの他方に設けて上記の複数の凹溝の１つを選択して嵌合させて太陽ギアの取り付け角度を設定する凸部とで構成したノブ設定部を備えたので、このノブ設定部が太陽ギアの回転軸線を中心としてコンパクトに構成することができる。
【００２６】
第５の発明のコントロール操作装置は、内接ギア及びケーブル保持部を設けた第１ベースと、前記ホルダーに取り付ける第２ベースとでベースを形成し、それら第１、第２ベースには、第２ベースを第１ベースに対し、前記太陽ギアの回転軸線を中心とする円周上の複数の位置で装着可能とした装着設定部を設けたことが特徴となっている。
【００２７】
第６の発明は、第５の発明のコントロール操作装置において、第２ベースには、上記した取付設定部を設けたことが特徴となっている。
すなわち、このコントロール操作装置によれば、上記したところのベースの取付設定部、第２ベースの装着設定部、ノブ設定部とでベースの取り付け角度を変えることができ、ベースの細かい角度調整が可能になる。
【００２８】
第７の発明のコントロール操作装置は、前記標示板はホルダーに対して、前記太陽ギアは操作ノブに対して、前記第２ベースは第１ベースに対して、前記ホルダーは第２ベースに対して各々前記太陽ギアの回転軸線を中心とする複数の取り付け角度で取り付け可能とし、装置のコンパクト化を図っている。
【図面の簡単な説明】
【００２９】
【図１】一実施形態を示す空調用のコントロール操作装置の正面図である。
【図２】図１上のＡ―Ａ線断面図である。
【図３】同コントロール操作装置の分解斜視図である。
【図４】上記したコントロール操作装置に備える標示板の背面図である。
【図５】上記したコントロール操作装置に備えるホルダーの正面図である。
【図６】上記したコントロール操作装置に備えるホルダーの斜視図である。
【図７】上記したコントロール操作装置の背面図である。
【図８】従来例として示した空調用のコントロール操作装置の正面図である。
【図９】図８に示す従来例のコントロール操作装置の断面図である。
【図１０】図８に示す従来例のコントロール操作装置の要部を示す簡略的な部分図である。
【発明を実施するための形態】
【００３０】
次に本発明に係るダイヤル式コントロール操作装置を車両に装備する空調用のコントロール操作装置として実施した一実施形態について図面に沿って説明する。
図１はコントロール操作装置の正面図、図２は図１上のＡ―Ａ線断面図、図３は同コントロール操作装置の分解斜視図である。
【００３１】
これらの図面に示すように、操作ノブ３１は円筒状に形成した風向調節用ノブで、この操作ノブ３１の後部には筒状に形成した太陽ギア３２が一体的に回動するように連結させてある。
太陽ギア３２は筒状体部３２ａの後縁側に歯車形成したギア３２ｂを有し、さらに、筒状体部３２ａの外表面には操作ノブ３１に連結するための連結凸部３２ｃが周囲４等分位置の各々に設けてある。
【００３２】
また、操作ノブ３１の後端側外周面の周囲４等分位置の各々には、角度１５°間隔で形成した一対の連結凹溝３１ａ、３１ｂを設け、これら連結凹溝３１ａ、
３１ｂのいずれかを選択して太陽ギア３２の連結凸部３２ｃを嵌合させることで、太陽ギア３２を操作ノブ３１に連結させてある。
なお、上記の連動凸部３２ｃと連動凹部３１ａ、３１ｂがノブ設定部を形成している。
【００３３】
このように操作ノブ３１に連結した太陽ギア３２は、その筒状体部３２ａを筒状のホルダー３３の外周囲に回転可能に嵌合させてある。
また、このホルダー３３には、操作ノブ３１の指示部３１ｃを各シンボル３７ａに回動操作したときに節度を与えるバネ３４と小球３５とが備えてあり、小球３５がバネ力で太陽ギア３２の節度溝３２ｄに落入する構成の節度機構としてある。
なお、太陽ギア３２の内面に設けた弧状板部３６は太陽ギア３２の回転範囲を定めるものである。
【００３４】
さらに、ホルダー３３の前面には、風向調節用のシンボル３７ａを設けた標示板３７が取り付けてあるが、この標示板３７の後面周囲の３等分位置の各々には、図３、図４に示すように、後方向きに突出させた取付凸部３７ｂを設け、これらの取付凸部３７ｂをホルダー３３の前面周囲部に形成した一対の取付溝３３ａ、３３ｂのいずれかに嵌合させて取り付ける構成としてある。
【００３５】
すなわち、ホルダー３３の前面周囲の３等分位置の各々には、図３、図５に示した如く、１５°間隔で形成した一対の取付溝３３ａ、３３ｂが形成してあり、これらの取付溝３３ａ、３３ｂのいずれかを選択して標示板３７の取付凸部３７ｂを嵌合させ、標示板３７をホルダー３３に取り付ける構成となっている。
なお、上記の取付凸部３７ｂと取付溝３３ａ、３３ｂが標示板設定部を形成している。
【００３６】
さらに、ホルダー３３は、図６に示すように、有底状の筒状体で、その底板部３３ｃには２つのネジ孔３３ｄ、３３ｅとバルブ挿入孔３３ｆとが設けてあり、また、その他に、後向きに延設させた位置決めピン３８が設けてある。
【００３７】
一方、上記のように太陽ギア３２を嵌合させたホルダー３３の底板部３３ｃにはベース３９を取り付ける。
ベース３９は取り付け面に相当する位置に円形孔４０を形成した第１ベース３９ａと、この円形孔４０に嵌合固着する第２ベース３９ｂとから形成してある。
【００３８】
すなわち、第１ベース３９ａの円形孔４０の左右部所と下部所の各々には、２０°間隔（図７参照）で形成した３つの角度調整溝４１ａ、４１ｂ、４１ｃを設けると共に、第２ベース３９ｂがこれら角度調整溝４１ａ、４１ｂ、４１ｃの一つを選択して固着できるようになっている。
【００３９】
第２ベース３９ｂには、その円筒外周囲の左右部所と下部所に嵌合舌片４２を設け、これらの嵌合舌片４２を第１ベース３９ａの角度調整溝４１ａ、４１ｂ、４１ｃのいずれかに嵌合させ、この第２ベース３９ｂの固着角度を定めて第１ベース３９ａに取り付ける。
なお、上記の角度調整溝４１ａ、４１ｂ、４１ｃと嵌合舌片４２とが第２ベース３９ｂの装着設定部を形成している。
【００４０】
さらに、第２ベース３９ｂには、太陽ギア３２の回転軸線Ｑ（図２参照）上にバルブ４３の装着孔４４を設けると共に、その回転軸線Ｑを中心とする円周上に相当する部所にはベース３９の取付設定部を形成する複数の取付ネジ孔４５が設けてある。
なお、本実施形態では取付ネジ孔４５の間隔は３０°に定めてある。
また、この第２ベース３９ｂには、取付ネジ４６によって第１ベース３９ａに取り付け固定するためのネジ孔４７ａを設けた取付腕４７が設けてある。
【００４１】
他方、第１ベース３９ａには、弧状形成した内接ギア４８を設け、この内接ギア４８と太陽ギア３２のギア３２ｂとの間には遊星ギア４９を噛合させるように設けてある。
遊星ギア４９は、回転中心から偏心した位置にケーブル５０の連結部４９ａが設けてあり、この連結部４９ａが図２、図７より分かるように、第１ベース３９ａに設けた横長の長孔５１から後向きに突出している。
【００４２】
遊星ギア４９の連結部４９ａには、図７に示すように、ケーブル５０のインナーケーブル５０ａを連結し、また、そのアウターケーブル５０ｂの一端部は第１ベース３９ａに設けたケーブル保持部５２に止着させてある。
【００４３】
この実施形態では、ベース３９の取り付け角度を考慮して角度調整溝４１a、４１ｂ、４１ｃを選択して嵌合舌片４２を嵌合させ、第２ベース３９ｂを第１ベース３９ａにネジ止めして取り付ける。（図７参照）
このように第２ベース３９ｂを設けることで、ベース３９の取り付け角度を１０°間隔で変えることができる。
なお、コントロール操作装置の大きさには制限があり、取付ネジ孔４５の間隔を１０°に形成することは生産上困難であるから、上記のように第２ベース３９ａを備えることでこの問題を解決し、装置の小形化を図っている。
これによって、ケーブル５０の配索方向を細かく定めることができる。
【００４４】
上記の構成からなる本実施形態は、操作ノブ３１に連結した太陽ギア３２を嵌合させたホルダー３３にベース３９を取り付けるが、この場合、遊星ギア４９を太陽ギア３２のギア３２bと内接ギア４８とに噛合させる一方、曲げを最も少なくして空調ユニット（図示省略）に連結できるケーブル５０の引き出し方向を考慮してベース３９の取り付け角度を定める。
【００４５】
このようにベース３９の取り付け角度を定めた状態で、ホルダー３３の位置決めピン３８を第２ベース３９ｂの一つの取付ネジ孔４５（図７参照）に挿入させてベース３７を仮止めし、その後、ホルダー３３のネジ孔３３ｄ、３３ｅと第２ベース３９ｂの取付ネジ孔４５（図７参照）とに取付ネジ５３をネジ込み、ベース３９（第１ベース３９ａ、第２ベース３９ｂ）をホルダー３３に固着する。
【００４６】
なお、その後に、ケーブル５０のインナーケーブル５０ａを遊星ギア４９の連結部４９ａに連結し、また、そのアウターケーブル５０ｂの一端部をケーブル保持部５２に止着させる。
さらに、第２ベース３９ａの装着孔４４にはバルブ４３を装着する。
なお、標示板３７はホルダー３３に太陽ギア３２を嵌合させた後にその前面側に取り付けておく。
【００４７】
本実施形態のコントロール操作装置の場合、角度調整溝４１ａ、４１ｂ、４１ｃのいずれかに嵌合舌片４２を嵌合させて第２ベース３９ｂを第１ベース３９ａに取り付ければ、ベース３９が第２ベース３９ｂの取り付けネジ孔４５の配置間隔で角度調整することができる。
すなわち、ベース３９はケーブル５０の曲げを少なくして配索できる方向にしたがい３０°間隔で３６０°の範囲で角度調整することができる。
【００４８】
また、角度調整溝４１ａ、４１ｂ、４１ｃの各々に嵌合舌片４２を嵌合させて第２ベース３９ｂを第１ベース３９ａに取り付ければ、上記の角度調整に対しこれら角度調整溝４１ａ、４１ｂ、４１ｃによるー２０°、０°＋２０°の角度調整が加わるから、３６０°÷｛（３６０°÷３０°）×３通り｝＝１０°間隔で３６０°の範囲でベース３９の角度調整を行うことができる。
【００４９】
標示板３７の取付凸部３７ｂをホルダー３３の取付溝３３ａから３３ｂに切り換え嵌合させることで、ベース３９の角度をさらに細かく５°間隔で調整することができる。
このように、取付凸部３７ｂを取付溝３３ｂに嵌合させると、ホルダー３３に対する標示板３７の取り付け角度が変わり、標示板３７のシンボル３７ａが傾くため、ホルダー３３を１５°右回転させて、シンボル３７ａが正姿状態（ユーザーから見てニュートラル）とする。
【００５０】
この状態で、第２ベース３９ｂをホルダー３３に取り付ければ、５°間隔で３６０°の範囲でベース３９の取り付け角度を変えることができる。
なお、ホルダー３３の取付溝３３ａ、３３ｂの間隔は５°に定めることができるが、コントロール操作装置の大きさには制限があり、実際には５°に定めることは生産上において困難であるので、本実施形態では１５°に定めてある。
【００５１】
さらに、操作ノブ３１の指示部３１ｃが指示する標示板３７のシンボル３７ａの位置と長孔５１内の遊星ギア４９の移動位置との関係を保持するため、上記のようにシンボル３７ａの傾きを修正したことに鑑み、太陽ギア３２の連結凸部３２ｃを操作ノブ３１の連結凹溝３１ａから３１ｂに切り換え、操作ノブ３１の指示部３１ｃがシンボル３７ａを適正に指示できるようにしてある。
【００５２】
上記したコントロール操作装置は、操作ノブ３１の回動操作によって太陽ギア３２が回転するから、この太陽ギア３２に連結させた遊星ギア４９が太陽ギア３２の周りを自転しながら旋回する。
したがって、遊星ギア４９の偏心位置にある連結部４９ａが長孔５１内をほぼ直線的に移動することから、連結部４９ａに連結されたインナーケーブル５０ａが直線的に押し出され、また、引き戻されて空調ユニットを動作制御する。
【００５３】
また、このコントロール操作装置は、ベース３９の取り付け角度が空調ユニットの配設位置に応じて細かく設定することができるので、ケーブル５０の引き出し方向が空調ユニットの配設位置に適する配索となる。
この結果、ケーブル５０の配索曲線を可能なるかぎり少なくし、アウターケーブル５０ｂに対するインナーケーブル５０ａの摺動抵抗を減少させることができるので、操作フィーリングに優れるコントロール操作装置となる。
【００５４】
以上、一実施形態について説明したが、操作ノブ３１の連結凹溝３１ａ、３１ｂを太陽ギア３２に、太陽ギア３２の連結凸部３２ｃを操作ノブ３１に設けるようにしてもよく、また、ホルダー３３の取付溝３３ａ、３３ｂを標示板３７に、標示板３７の取付凸部３７ｂをホルダー３３に設けるように構成することもできる。
なお、この実施形態のコントロール操作装置は、ベース３９の取り付け角度を調整した状態で車両のヒーターコントロールパネルなどに取り付けて固定する。
【産業上の利用可能性】
【００５５】
車両の空調用のコントロール操作装置などのダイヤル式コントロール操作装置として適用できる。
【符号の説明】
【００５６】
３１  操作ノブ
３１ａ、３１ｂ  連結凹溝
３１ｃ  指示部
３２  太陽ギア
３２ｃ  連結凸部
３３  ホルダー
３３ａ、３３ｂ  取付溝
３３ｄ、３３ｅ  ネジ孔
３７  標示板
３７ａ  シンボル
３７ｂ  取付凸部
３８  位置決めピン
３９  ベース
３９ａ  第１ベース
３９ｂ  第２ベース
４１ａ、４１ｂ、４１ｃ  角度調整溝
４２  嵌合舌片
４５  取付ネジ孔
４６  取付ネジ
４８  内接ギア
４９  遊星ギア
５０  ケーブル
５１  長孔
５２  ケーブル保持部
５３  取付ネジ
【図１】
0006641622.tif 000002
【図２】
0006641622.tif 000003
【図３】
0006641622.tif 000004
【図４】
0006641622.tif 000005
【図５】
0006641622.tif 000006
【図６】
0006641622.tif 000007
【図７】
0006641622.tif 000008
【図８】
0006641622.tif 000009
【図９】
0006641622.tif 000010
【図１０】
0006641622.tif 000011